(57)【特許請求の範囲】
【請求項１】
三つ折りされる財布本体であって、小銭溜底面部とその両側の折り目を境にして折り畳み可能な財布本体部分とで形成される溝内で、その両端開口部分を閉鎖する両マチ部の間に適宜間隔を置いた位置に、小銭溜底面部に折り目を境にして連なる財布本体部分を強制的に起立状としたときに略当接して二枚板状に維持され、単に起立状としたとき、および財布本体を折り畳む段階で、予め刻設してあるハの字状折り目に従って互いに離反する方向に折り畳み状となるようにした谷折り構造の仕切り部が縫合、一体化されてなるものにしたことを特徴とする小銭溜付き財布。
【請求項２】
三つ折りされて略掌サイズ程度となるようにした財布本体であって、小銭溜底面部とその両側の折り目を境にして折り畳み可能な財布本体部分とで形成される溝内で、その両端開口部分を閉鎖する両マチ部の間に、当該溝方向を少なくとも二分割、望ましくは三分割以上とする位置に、小銭溜底面部に折り目を境にして連なる財布本体部分を強制的に起立状としたときに略当接して二枚板状に維持され、単に起立状としたとき、および財布本体を折り畳む段階で、予め刻設してあるハの字状折り目に従って互いに離反する方向に折り畳み状となるようにした谷折り構造の仕切り部が、その谷部と両側縁とで縫合、一体化されたものにした上、主蓋面部裏面適所とそれに対応する副蓋面部表面との間を仮着部で着脱自在となるようにしたことを特徴とする小銭溜付き財布。
【請求項３】
三つ折りされて略掌サイズ程度となるようにした財布本体であって、小銭溜底面部とその両側の折り目を境にして折り畳み可能な財布本体部分とで形成される溝内で、その両端開口部分を閉鎖する両マチ部の間に、当該溝方向を少なくとも二分割、望ましくは三分割以上とする位置に、小銭溜底面部に折り目を境にして連なる財布本体部分を強制的に起立状としたときに略当接して二枚板状に維持され、単に起立状としたとき、および財布本体を折り畳む段階で、予め刻設してあるハの字状折り目に従って互いに離反する方向に折り畳み状となるようにした谷折り構造の仕切り部が、その谷部と両側縁とで縫合、一体化されたものにした上、主蓋面部裏面適所とそれに対応する副蓋面部表面との間を仮着部で着脱自在となるようにし、主蓋面部と副蓋面部とを折り畳んで相互を仮着状としたときに、小銭溜底面部の区分けされた部分上を、マチ部とそれに対峙する谷折り構造の一方の仕切り部、あるいは、それらと、隣接する谷折り構造の仕切り部の対峙する仕切り部相互とによって押圧状となるようにしたことを特徴とする小銭溜付き財布。
【請求項４】
略掌サイズ程度で矩形状とした小銭溜底面部の平行する両側縁を夫々折り目として、一方の折り目の外側には小銭溜底面部と略同形の主蓋面部を延長すると共に、他方の折り目の外側には、小銭溜底面部の巾の略１／３ないし１／２程度の巾とした副蓋面部を形成して財布本体にする一方、小銭溜底面部に対して主蓋面部と副蓋面部とを夫々の折り目で強制的に起立状に折って形成される溝状の財布本体の両端開口部分には、その状態の同開口部分を閉鎖する略平板状に維持され、単に起立状としたとき、および主蓋面部と副蓋面部とを夫々の折り目で折って小銭溜底面部上方となるように折り畳む段階で、予め刻設してあるハの字状折り目に従って折り畳まれ、夫々小銭溜底面部側に倒れ込むように折り畳まれてしまうようにしたマチ部が、上端縁を除く三方縁で縫合、一体化されたものにすると共に、それら両マチ部の間の財布本体溝内には、当該溝方向を少なくとも二分割、望ましくは三分割以上とする位置に、主蓋面部と副蓋面部とを夫々小銭溜底面部に対して強制的に起立状としたときに略当接して二枚板状に維持され、単に起立状としたとき、および主蓋面部と副蓋面部とを夫々の折り目で折って小銭溜底面部上方となるように折り畳む段階で、予め刻設してあるハの字状折り目に従って互いに離反する方向に折り畳み状となるようにした谷折り構造の仕切り部が、その谷部と両側縁とで縫合、一体化されたものにした上、折り畳んだ段階で副蓋面部表面上に主蓋面部を当接、仮固定状にする仮着部を設けてなるものとしたことを特徴とする小銭溜付き財布。
【請求項５】
略掌サイズ程度で矩形状とした小銭溜底面部の平行する両側縁を夫々折り目として、一方の折り目の外側には小銭溜底面部と略同形の主蓋面部を延長すると共に、他方の折り目の外側には、小銭溜底面部の巾の略１／３ないし１／２程度の巾とした副蓋面部を形成して財布本体にする一方、小銭溜底面部に対して主蓋面部と副蓋面部とを夫々の折り目で強制的に起立状に折って形成される溝状の財布本体の両端開口部分には、その状態の同開口部分を閉鎖する略平板状に維持され、単に起立状としたとき、および主蓋面部と副蓋面部とを夫々の折り目で折って小銭溜底面部上方となるように折り畳む段階で、予め刻設してあるハの字状折り目に従って折り畳まれ、夫々小銭溜底面部側に倒れ込むように折り畳まれてしまうようにしたマチ部が、上端縁を除く三方縁で縫合、一体化されたものにすると共に、それら両マチ部の間の財布本体溝内には、当該溝方向を少なくとも二分割、望ましくは三分割以上とする位置に、主蓋面部と副蓋面部とを夫々小銭溜底面部に対して強制的に起立状としたときに略当接して二枚板状に維持され、単に起立状としたとき、および主蓋面部と副蓋面部とを夫々の折り目で折って小銭溜底面部上方となるように折り畳む段階で、予め刻設してあるハの字状折り目に従って互いに離反する方向に折り畳み状となるようにした谷折り構造の仕切り部が、その谷部と両側縁とで縫合、一体化されたものにした上、折り畳んだ段階で副蓋面部表面上に主蓋面部を当接、仮固定状にする仮着部を設けたものにすると共に、両マチ部の外側面で、副蓋面部側のハの字状折り目を境にした部分との間を着脱自在となるようにしたことを特徴とする小銭溜付き財布。
【請求項６】
主蓋面部は、その内側か外側の何れかに札入れ用のポケットが付設されてなるものに形成された、請求項１ないし５何れか記載の小銭溜付き財布。
【請求項７】
折り目を境とした主蓋面部と小銭溜底面部とは、双方に跨がってその内側か外側の何れかに札入れ用のポケットが付設されてなるものに形成された、請求項１ないし６何れか記載の小銭溜付き財布。
【請求項８】
主蓋面部は、その内側にカード入れ用のポケットが付設されてなるものに形成された、請求項１ないし７何れか記載の小銭溜付き財布。
【発明の詳細な説明】
【０００１】
【発明の目的】
この発明は、小銭溜を有する財布に関するものであって、特に数種類の小銭を、適宜区分けで分類、収納できるようにした小銭溜を有するようにしたものであって、単独の小銭溜専用のものとするか、あるいは紙幣やカード類を収納できるようにした財布本体に、適宜区分けで数種類の小銭を分類、収納できるようにした小銭溜を組み合わせてなる新規な構造の小銭溜付き財布を提供しようとするものである。
【０００２】
【従来の技術】
消費税が導入されて以来、物を購入したり、外食したりしての精算段階に現金払いしようとすると、必ずといっていい程に数種類の小銭を組み合わせた支払いを求められるようになり、その場面に出くわした消費者は、各人各様の思いで探し求めた愛用の財布を開いては、少しでも手際よく支払いを済ますべく、小銭溜の中から必要な種類の小銭を懸命に探し出そうと慌てふためく経験を幾度となく繰り返すこととなり、その度毎に、数種類の小銭を幾つかに分類して収納しておける効率的な財布の必要性を痛感する。
【０００３】
しかし、これまでに提供されている小銭溜付き財布の多くは、蛇腹式に広がるマチ部の中の内側方向に折り畳まれる襞毎に仕切りを縫合し、各仕切り間を小銭入れ用の収納部に使用できるようにした、例えば実開平５−２０６１５号「仕切り付き小銭入れ」考案や、特開平１０−３１３９２４号「小物類収納バッグ」発明等に代表されるような構造のものであり、それら従前からのものは、収納部が縦断面でＶ字形であって、折り畳んだときに収縮してコンパクトになるという利点はあるものの、その構造上から自ずと収容枚数に制限があるものになってしまう上に、小銭は縦に収容されてしまっていてその厚みしか確認できないため、複数の種類の小銭が混ざりあってしまうと確認しづらいという問題があって、必ずしも実用的ではないという難点を有するものとなっていた。
【０００４】
そうした難点に対処しようとして、例えば実開昭５６−１４０３１２号「小銭入財布」考案や、実開平５−９３２３７号「金種別に出し入れできる箱型の小銭入れ」考案等のように、箱型の収容部に立設状の仕切りを設け、各立設状の仕切りの間の比較的大きな収納部に小銭を収容して小銭表面が確認できると共に、多くの小銭を入れられるようにしたものも見受けられるが、この構造のものでは必然的に嵩張ってしまい、普段の携帯に不都合を来してしまうという問題を避けることができず、殆ど利用されていないというのが実情である。
【０００５】
そのため、上記した二つのタイプの構造からなる小銭入れ構造の利点を寄せ集め、携帯性がいい上に比較的収納部分を大きく取れて小銭の確認もし易くなるように工夫した、例えば実開平６−３４５０９号「金種別に出し入れできるガマグチ型の小銭入れ」考案や、実開昭６２−１４２９２２号「携帯用小銭入れ」考案等のような構造からなるものの提案もなされ、確かに前記二タイプのものよりも使い勝手を良くするという所期の目的を達成しているかに見えるものの、しかし、これら改良された小銭入れの場合には、小銭を取り出すために広げた状態における使い勝手についての配慮だけがなされているに過ぎず、その結果、財布を閉じて携行する段階では、区分けして収容した小銭は、仕切りで区分けした収納部内でかなり自由に動いてしまって、着衣のポケットや鞄、バッグ等に入れる方向が変る度に、小銭は収納部の下方側に片寄って塊状になる現象を惹起してしまうことから、小銭入れまたは財布全体の膨らみを増してしまい、持ち歩きに不都合を来すという弊害を払拭できないままに止まってしまっている。
【０００６】
このように、既に提案のある小銭を収容しておくための何れのタイプの構造のものも、普段から携行する際の利便性や支払い現場における使用性、あるいは繰り返し開閉使用したときの耐久性等、小銭入れとして必要となる機能の点に関する配慮、工夫の点で一長一短があるものに止まってしまっていて、総合的に実用に耐え得るだけのものが見当たらない現状に鑑み、この発明では、小銭を収容するための小銭溜を有する財布としての機能、特にその利便性や使用性、耐久性の全てを満足する構造を兼ね備えた小銭溜付き財布の開発に取り組み、様々な試行錯誤の末、幾多の試作実験を繰り返してきた結果、遂に茲にきてその実現化に成功したものであり、以下では、代表的な実施例と共に、その構成の詳細について説示していくこととする。
【０００７】
【発明の構成】
この発明の小銭溜付き財布は、後述する代表的な実施例からも容易に把握できるとおり、基本的に次のとおりの構成からなるものである。
即ち、  三つ折りされる財布本体であって、小銭溜底面部とその両側の折り目を境にして折り畳み可能な財布本体部分とで形成される溝内で、その両端開口部分を閉鎖する両マチ部の間に適宜間隔を置いた位置に、小銭溜底面部に折り目を境にして連なる財布本体部分を強制的に起立状としたときに略当接して二枚板状に維持され、単に起立状としたとき、および財布本体を折り畳む段階で、予め刻設してあるハの字状折り目に従って互いに離反する方向に折り畳み状となるようにした谷折り構造の仕切り部が縫合、一体化されてなるものにした構成を要旨とするものである。
【０００８】
上記したこの発明の基本的な構成を、より具体的な記載表現によるものとして示せば、三つ折りされて略掌サイズ程度となるようにした財布本体であって、小銭溜底面部とその両側の折り目を境にして折り畳み可能な財布本体部分とで形成される溝内で、その両端開口部分を閉鎖する両マチ部の間に、当該溝方向を少なくとも二分割、望ましくは三分割以上とする位置に、小銭溜底面部に折り目を境にして連なる財布本体部分を強制的に起立状としたときに略当接して二枚板状に維持され、単に起立状としたとき、および財布本体を折り畳む段階で、予め刻設してあるハの字状折り目に従って互いに離反する方向に折り畳み状となるようにした谷折り構造の仕切り部が、その谷部と両側縁とで縫合、一体化されたものにした上、主蓋面部裏面適所とそれに対応する副蓋面部表面との間を仮着部で着脱自在となるようにした小銭溜付き財布であるとすることができる。
【０００９】
そして、これら基本的な構成で示したこの発明の小銭溜付き財布を、他の記載表現によって示せば、三つ折りされて略掌サイズ程度となるようにした財布本体であって、小銭溜底面部とその両側の折り目を境にして折り畳み可能な財布本体部分とで形成される溝内で、その両端開口部分を閉鎖する両マチ部の間に、当該溝方向を少なくとも二分割、望ましくは三分割以上とする位置に、小銭溜底面部に折り目を境にして連なる財布本体部分を強制的に起立状としたときに略当接して二枚板状に維持され、単に起立状としたとき、および財布本体を折り畳む段階で、予め刻設してあるハの字状折り目に従って互いに離反する方向に折り畳み状となるようにした谷折り構造の仕切り部が、その谷部と両側縁とで縫合、一体化されたものにした上、主蓋面部裏面適所とそれに対応する副蓋面部表面との間を仮着部で着脱自在となるようにし、主蓋面部と副蓋面部とを折り畳んで相互を仮着状としたときに、小銭溜底面部の区分けされた部分上を、マチ部とそれに対峙する谷折り構造の一方の仕切り部、あるいは、それらと、隣接する谷折り構造の仕切り部の対峙する仕切り部相互とによって押圧状となるものにした構成を要旨とする小銭溜付き財布であるということができる。
【００１０】
また、更に具体的には、略掌サイズ程度で矩形状とした小銭溜底面部の平行する両側縁を夫々折り目として、一方の折り目の外側には小銭溜底面部と略同形の主蓋面部を延長すると共に、他方の折り目の外側には、小銭溜底面部の巾の略１／３ないし１／２程度の巾とした副蓋面部を形成して財布本体にする一方、小銭溜底面部に対して主蓋面部と副蓋面部とを夫々の折り目で強制的に起立状に折って形成される溝状の財布本体の両端開口部分には、その状態の同開口部分を閉鎖する略平板状に維持され、単に起立状としたとき、および主蓋面部と副蓋面部とを夫々の折り目で折って小銭溜底面部上方となるように折り畳む段階で、予め刻設してあるハの字状折り目に従って折り畳まれ、夫々小銭溜底面部側に倒れ込むように折り畳まれてしまうようにしたマチ部が、上端縁を除く三方縁で縫合、一体化されたものにすると共に、それら両マチ部の間の財布本体溝内には、当該溝方向を少なくとも二分割、望ましくは三分割以上とする位置に、主蓋面部と副蓋面部とを夫々小銭溜底面部に対して強制的に起立状としたときに略当接して二枚板状に維持され、単に起立状としたとき、および主蓋面部と副蓋面部とを夫々の折り目で折って小銭溜底面部上方となるように折り畳む段階で、予め刻設してあるハの字状折り目に従って互いに離反する方向に折り畳み状となるようにした谷折り構造の仕切り部が、その谷部と両側縁とで縫合、一体化されたものにした上、折り畳んだ段階で副蓋面部表面上に主蓋面部を当接、仮固定状にする仮着部を設けてなるものとした小銭溜付き財布であるということができる。
【００１１】
そして、望ましい構成のものとしては、略掌サイズ程度で矩形状とした小銭溜底面部の平行する両側縁を夫々折り目として、一方の折り目の外側には小銭溜底面部と略同形の主蓋面部を延長すると共に、他方の折り目の外側には、小銭溜底面部の巾の略１／３ないし１／２程度の巾とした副蓋面部を形成して財布本体にする一方、小銭溜底面部に対して主蓋面部と副蓋面部とを夫々の折り目で強制的に起立状に折って形成される溝状の財布本体の両端開口部分には、その状態の同開口部分を閉鎖する略平板状に維持され、単に起立状としたとき、および主蓋面部と副蓋面部とを夫々の折り目で折って小銭溜底面部上方となるように折り畳む段階で、予め刻設してあるハの字状折り目に従って折り畳まれ、夫々小銭溜底面部側に倒れ込むように折り畳まれてしまうようにしたマチ部が、上端縁を除く三方縁で縫合、一体化されたものにすると共に、それら両マチ部の間の財布本体溝内には、当該溝方向を少なくとも二分割、望ましくは三分割以上とする位置に、主蓋面部と副蓋面部とを夫々小銭溜底面部に対して強制的に起立状としたときに略当接して二枚板状に維持され、単に起立状としたとき、および主蓋面部と副蓋面部とを夫々の折り目で折って小銭溜底面部上方となるように折り畳む段階で、予め刻設してあるハの字状折り目に従って互いに離反する方向に折り畳み状となるようにした谷折り構造の仕切り部が、その谷部と両側縁とで縫合、一体化されたものにした上、折り畳んだ段階で副蓋面部表面上に主蓋面部を当接、仮固定状にする仮着部を設けたものにすると共に、両マチ部の外側面で、副蓋面部側のハの字状折り目を境にした部分との間を着脱自在となるようにした構成からなる小銭溜付き財布である。
【００１２】
財布本体は、所謂財布としての骨格体をなすと共に、小間物としての意匠的効果を発揮するよう機能するものであり、鞣し革や合成皮革、布地、和紙等といった従前から財布素材として使用されてきているあらゆる素材を、単独でか積層、張り合わせたものとして、あるいは違う素材のものを適宜積層、張り合わせて採用することができ、略掌サイズ程度、例えば縦８ないし１３ｃｍ程度で横６ないし１２ｃｍ程度の矩形状とした小銭溜底面部に対し、該小銭溜底面部と略同形の主蓋面部、および当該小銭溜底面部の巾の略１／３ないし１／２程度の巾（したがって、縦２ないし６ｃｍ程度）とした副蓋面部が、その両側縁に夫々折り目を介して連続、形成されてなるようにしたものとする。
【００１３】
この財布本体には、小銭溜底面部とその左右何れかに折り目を介して連続する主蓋面部とに跨がるようにして二重構造のものに形成して、両者間の隙間に札を入れられるようにしたり、または、主蓋面部だけを二重構造のものとしてその内側あるいは外側から札を差し入れることができるようにする、所謂札入れ部を併設してなるものとすることができる上、主蓋面部だけを三重構造のものにして外側からは札を入れることができ、内側からはカード（キャッシュカードの外、名刺等も含む。）を収容しておくことができるようにした構造のものとしても差し支えはない。
【００１４】
そして、財布本体は、三つ折りに折り畳んだ段階において、副蓋面部表面上に主蓋面部の裏面側が当接状となったまま仮固定された状態が維持され続け、使用者の意志で強制的に開かない限り、副蓋面部表面上から主蓋面部が不用意に離れてしまい、小銭溜底面部が露出状となってしまうことがないよう機能する仮着部、例えば副蓋面部表面適所、望ましくは中央部分と、それに対応する主蓋面部裏面とに、雌雄ホックやマジックファスナー（登録商標）等、財布の固定手段として一般的に採用されてきている公知の手段をはじめ、その他この機能に適した各種構造の仮着手段を採用するようにしたり、あるいは、後述する実施例に取り上げたような、小銭溜底面部を支持部とした帯体を、副蓋面部表面上に当接状となっている主蓋面部の表面側適所にまで達するようにした上、当該帯体先端付近の裏面と、それに対応する主蓋面部の表面側とに、上記と同様にした仮着手段やベルトの連結手段に採用されてきているバックルのような仮着手段を配してなるものとしなければならない。
【００１５】
上記のとおりの構成からなる財布本体には、小銭溜底面部上に小銭溜となる箱型の収納部分を形成するため、マチ部が縫合、一体化されることになるが、このマチ部は、財布本体を小銭溜底面部の左右両側に折り目を介して主蓋面部と副蓋面部とを起立状にして溝状となるようにした上、該溝の前後開口を閉鎖してしまう機能と共に、財布を構成し、折り畳んだ段階で中に収容した小銭を押圧する機能の一部を担うものであって、可撓性があり、しかも強靱な素材、例えば比較的薄手の鞣し革や合成皮革、布地、和紙等を単独あるいは適宜組み合わせた積層構造のものとして採用するようにする一方、小銭を押圧する機能が果たし得るよう、巾方向中央を中心としてハの字状（転倒Ｖ字状を含む。）折り目が予め刻設され、上端縁を除く三周縁を、溝状に保持した財布本体の前後開口辺りで、対応する小銭溜底面部または主蓋面部、副蓋面部に縫合、一体化した後、主蓋面部および副蓋面部を小銭溜底面部上に折り畳むと、前記した折り目で小銭溜底面部上に内折りされ、後述の仕切り部と相俟って前後両側から小銭を押圧することになる。
【００１６】
一方、仕切り部は、上記のようにして形成されたマチ部付きの財布本体で、小銭溜底面部左右に主蓋面部と副蓋面部とを起立状にし、前後の開口を略平板状に維持したマチ部で閉鎖してなる溝内、即ち小銭溜底面部上を少なくとも二分割、望ましくは三分割以上とする位置に配され、小銭を収容できる収納部が、二つあるいはそれ以上に分割されて区分け収納部を確保されるようにする機能を果たすと共に、財布を構成し、折り畳んだ段階ではそれら収納部内に収容した小銭を押圧する機能の一部を担うものであって、全体として可撓性があって強靱な素材、例えば比較的薄手の鞣し革や合成皮革、布地、和紙等を単独あるいは適宜組み合わせた積層構造のものとして採用するようにする。
【００１７】
そして、この仕切り部は、上記のように財布本体を保持して形成されている溝を横断する左右巾寸法（正確には縫合、一体化する上で必要となる寸法を加えた巾寸法）を有すると共に、それに直交する方向の寸法（上下丈）を、折り目から延長形成した副蓋面部よりもやや短い寸法の約二倍程度の長さとしてなる矩形状の素材から、上下丈の中央で谷折りして谷折り構造のものとする一方、折り曲げられた各片には、前記したマチ部と略同様として、その巾方向中央を中心としたハの字状（転倒Ｖ字状を含む。）の折り目を予め刻設してなるものとした上、谷折り構造の谷の部分を小銭溜底面部に、また左右各端縁を対応する主蓋面部または副蓋面部に縫合、一体化したものとし、主蓋面部と副蓋面部とを夫々小銭溜底面部に対して強制的に起立状としたときに各片が略当接して二枚板状に維持され、他方、主蓋面部と副蓋面部とを夫々小銭溜底面部両側に単に起立状（主蓋面部と副蓋面部とに外力を加えないで広げた状態）にしたときや、主蓋面部と副蓋面部とを夫々の折り目で折って小銭溜底面部上方となるように折り畳む段階で、予め刻設してあるハの字状折り目に従って互いに離反する方向に折り畳み状となるようにしたものとしてなければならない。
【００１８】
以上のとおり、三つ折りされる財布本体に両マチ部と谷折り構造の複数の仕切り部とが所定の如くに縫合、一体化されたものとすることにより、財布を開いた段階、即ち主蓋面部と副蓋面部とを夫々小銭溜底面部に対して強制的に起立状とした段階には、両マチ部、谷折り構造の複数の仕切り部共に、各端縁が左右方向に引っ張られ、マチ部は略平板状に、また各仕切り部は二枚板状に維持され、隣接するマチ部と仕切り部との間、および隣接する仕切り部間に、上方に大きく口を開けた状態の区分け収納部を実現し、他方、副蓋面部表面上に主蓋面部を折り畳んだ段階には、マチ部および仕切り部共に、各ハの字状折り目に従い、両マチ部は何れも財布の内側、即ち小銭溜底面部上に倒れ込むように折り畳まれ、と同時に、仕切り部は、夫々各片を離反させる方向であって、何れも小銭溜底面部上に倒れ込むように折り畳まれる結果、各区分け収納部は、倒れ込み状となったマチ部およびその隣の仕切り部でマチ部側に位置する側の片、または、同じく倒れ込み状となった隣接する仕切り部相互の対峙する側の片同士で、夫々蓋をされたような状態となることから、区分け収納部に小銭が収容されていれば、それら小銭は、倒れ込み状となったマチ部または仕切り部で押圧状になってしまうようにするものである。
【００１９】
なお、このマチ部または仕切り部での押圧状態は、財布本体を折り畳んだ段階における両マチ部の外側面で、副蓋面部側のハの字状折り目を境にした部分間に適宜仮着手段、例えばマジックファスナー（登録商標）やホック等のような当接・離反によって着脱自在となるようにした手段を組み込んだものにすると、確実にその機能が果たし得るものになり、極めて好都合のものにすることができるする。
以下、この発明の小銭溜付き財布の代表的な実施例を、図面に基づいて詳細に説明することにより、この発明の小銭溜付き財布の上記までの構成がより一層明確に把握できるようにする。
【００２０】
【実施例】
この発明を代表する小銭溜付き財布による実施例は、その使用状態における全体斜視図が図１に、同Ａ〜Ａ縦断面図が図２に、また、その分解斜視図が図３に、マチ部および仕切部を夫々折り目に抗して緊張状とした状態の全体斜視図が図４に、そして、携行するとき等に三つ折りに折り畳んだ状態としたものの全体斜視図が図５に、更にその状態でのマチ部および仕切部の折り畳み状態を明らかにする縦断面図が図６に夫々示されているとおり、我が国で一般的に使用されている六種類の小銭を、使い勝手上で最小限の区分けにして使えるよう、前後両マチ部間に仕切部を二箇所配し、小銭溜とする区分け収納部が三箇所確保できるようにした事例によるものである。
【００２１】
財布本体１は、図３の分解斜視図に示してあるように、鞣し革を張り合わせ積層構造の内装部１ｂと外装部１ａとからなり、携帯性と収容効率とを勘案して、縦１２ｃｍ程度で横８ｃｍ程度の矩形状とした小銭溜底面部１１に対し、該小銭溜底面部１１と略同形の主蓋面部１２を折り目１２ａを介してその外側に連続、形成すると共に、当該小銭溜底面部１１の巾の略１／２程度の略４ｃｍ巾とした副蓋面部１３を折り目１３ａを介してその外側に連続、形成してなるようにしたものであって、したがって、この財布本体１として必要となる平板状の大きさでは、縦１２ｃｍ程度で横２０ｃｍ程度の矩形状のものとなり、図５のように三つ折り状に折り畳むと、はじめて縦１２ｃｍ程度で横８ｃｍ程度となって略掌サイズの矩形状のものになるようにする。なお、図中、１ｃは、内装部１ｂと外装部１ａとを積層状に張り合わせた後、全周縁を取り繕うための縁縢り材を示している。
【００２２】
この財布本体１には、小銭溜の収納部１３を形成するため、小銭溜底面部１１に対して主蓋面部１２と副蓋面部１３とを夫々の折り目１２ａ，１３ａで起立状に折って形成される溝の両端開口部分に、夫々マチ部２，２の上端縁を除く三周縁が縫合、一体化されるようにする。したがって、このマチ部２の輪郭は、小銭溜底面部１１、およびその両側の主蓋面部１２と副蓋面部１３とによって形成されている溝断面に沿った形状で、高さを副蓋面部１３の高さ（略４ｃｍ）に略等しいかやや小さめのものとし、図３分解図にあるとおり、上端縁を除く三周に夫々縫合縁２２，２２，２２を有したものに裁断されていなければならず、しかも、予め底辺両角部から夫々５０°前後の角度（財布の大きさによって必ずしも一定しない。）で内側上方に向けて傾斜する折り目２１，２１が対をなし、側面形でハの字形（転倒Ｖ字形となる場合もあり得る。）なすようなものとして刻設されていて、両端を引っ張るような力Ｐが加わらない限り、それら折り目２１，２１で自然に折れて中央部分が一方側（財布本体１に縫合、一体化されたときには、小銭溜底面部１１の上方側）に傾斜状となってしまうようにしたものとされている。
【００２３】
こうして、マチ部２，２が、小銭溜底面部１１、およびその両側の主蓋面部１２と副蓋面部１３とによって形成された溝の両端開口部分に縫合、一体化されて箱状の収納部４を実現した上、この収納部４の中を、使い勝手が良くなるようにマチ部２，２間に渡って複数の小銭溜に区切るようにするため、所望する区分け個数ｎよりも一つ少ない数、即ち（ｎ−１）個の仕切部３，３……を用意しなければならない。
【００２４】
この仕切部３は、上記マチ部２と略同様の輪郭を有するものとした上、谷折り構造のものに形成されていなければならず、しかも谷の部分から両側に立ち上がる両片３２，３２には、上記したマチ部２と略同様のハの字形（転倒Ｖ字形を含む。）の折り目３３，３３を予め刻設してなる、図３の分解斜視図に示すとおりのものとしてあって、これら各片とも、折り目３３，３３によって互いに離反する方向に自然に（即ち、両端方向に引っ張る外力が作用しない限り）折れるよう付勢されてなる構造のものに形成されており、各片３２，３２の両端に形成された縫合縁３４，３４は、財布本体１の主蓋面部１２および副蓋面部１３の内装部１ｂに、また同谷３１は小銭溜底面部１１の内装部１ｂに夫々縫合、一体化されたものとすることにより、図４の主蓋面部１２および副蓋面部１３を夫々外側に広げるように力Ｐ，Ｐを加えた状態で示す斜視図からも明らかになるように、所望する数、即ち実施例では３個の区分け収納部４１，４１，４１を実現したものとする。
【００２５】
以上のようにして両マチ部２，２および所望数の区分け収納部４１，４１，……からなる収納部４の形成された財布本体１を、図５に示してあるように、折り目１２ａ，１３ａで主蓋面部１２と副蓋面部１３とを折り畳み、三つ折り状とした上、小銭溜底面部１１を支持部とした帯体５を、副蓋面部１３表面上に当接状となっている主蓋面部１２の表面側適所にまで達するようにした上、当該帯体５先端付近の裏面に組み込んだフック金具６の凸部を、それに対応する主蓋面部１２の表面側に組み込んであるフック金具６の凹部に嵌合状とすることにより、三つ折り構造とした財布本体１が不用意に開いてしまうことのない仮着状とした財布になるようにしたものである。
【００２６】
更に、この実施例では、財布本体１の三つ折り状態を確実に維持して、折り畳み状における区分け収納部４１，４１，４１の閉鎖状態をマチ部２および仕切部３，３で確固たるものにするため、財布本体１を折り畳んだ段階における両マチ部２，２の外側面であって、副蓋面部１３側に位置するハの字状の一方の折り目３３を境にした部分間に、マジックファスナー（登録商標）による仮着部２２を組み込んでなる事例によるものとしてある。
【００２７】
なお、特に実施例に取り入れてはいないものの、必要に応じて、財布本体１を構成する外装部１ａと内装部１ｂとの間を使って札入れ部やカード入れ部を形成するようにしたり、あるいは、外装部１ａと内装部１ｂとを積層状にした主蓋面部１２の内面、または同様に積層状とした主蓋面部１２と副蓋面部１３とに跨がる部分の外側に、札入れ部および／またはカード入れ部用に別途鞣し革等を添設状に縫合してなるものとする等、従前からのものと同様にした手段によって財布本体１に適宜札入れ部および／またはカード入れ部を組み込んだり、その他財布に組み込まれていると都合の良い構成、例えば定期券入れやキーホルダー金具その他を組み込んでなるものに形成することができることはいうまでもない。
【００２８】
【作用】
上記のとおりの構成からなるこの発明の小銭溜付き財布は、図４の斜視図にあるように、主蓋面部１２および副蓋面部１３を夫々外側に広げるように力を加えた状態にして、両マチ部２，２および仕切部３，３，３が夫々の折り目２１，２１および折り目３３，３３を延ばし、両マチ部２，２は一枚板状に、また仕切部３，３，３は夫々二枚板状となるようにすることにより、一方のマチ部２とそれに隣接する仕切部３の同マチ部２に対峙する片３２との間、同仕切部３の残る片３２とその隣の仕切部３で先の仕切部３に対峙する片３２との間、および同仕切部３の残る片３２と他方のマチ部２との間に、夫々上方に開口した区分け収納部４１，４１，４１が実現されることから、その開口して入れ易くなった区分け収納部４１，４１，４１の、例えば、その中の一つの区分け収納部４１には一円玉と五円玉とだけを、他の一つには十円玉と五十円玉とを、残る一つには百円玉と五百円玉とを区分けして収容してしまうようにする。
【００２９】
収容し終えた後、主蓋面部１２および副蓋面部１３に加えていた力を取り除くと、両マチ部２，２および仕切部３，３，３の夫々に予め刻設してあった折り目２１，２１および折り目３３，３３の作用で、両マチ部２，２および仕切部３，３，３は自然に半ば折り畳み状になって図１の斜視図に図示した状態になり、図２Ａ〜Ａ縦断面図に示されているように、区分け収納部４１，４１，４１内に略蓋をした状態となし、また、完全に三つ折り状として仮着手段で開かないようにしてしまうと、収容されている小銭は、図６の縦断面図に示されているように、それらによって上方から完全に押圧状とされて蓋をした状態を実現することになる。
【００３０】
その際に、帯体５は、小銭溜底面部１１上に、先ず副蓋面部１３を押し倒してから、続いてその表面上に主蓋面部１２が重なるように折り畳み、財布本体１を三つ折り状のままに安全に保持、携帯するための仮着手段として必要となるものであり、当然他の公知の手段に代替し得ることは既述したとおりであり、財布のデザインや単価、操作性等各種要素を勘案して最適な仮着手段を採用することができる。なお、実施例よるものでは、財布本体１を折り畳んだ段階における両マチ部２，２の外側面であって、副蓋面部１３側に位置するハの字状の一方の折り目３３を境にした部分間に仮着部２２を組み込んで、財布本体１を三つ折り状としたときの区分け収納部４１，４１，４１の押圧、閉鎖状態が更に強化され、小銭Ｃ，Ｃ，……の納まりがより良くなり、且つ三つ折り状態のこの発明の財布の厚みができるだけ薄く維持されるものとなる。
【００３１】
【効果】
以上詳述してきたとおりの構成からなるこの発明の小銭溜付き財布は、単に小銭を幾つかのグループで区分けして収容できるようにしてある従前からの小分け用ポケット付きの財布のように、小銭がポケットの中に溜っているだけの状態で、折り畳まれたり蓋をされても、内部でかなり自由に動いたり零れ出してしまようになるものとは異なり、区分け用に用意した収納部毎に収容した複数の小銭は、主蓋面部および副蓋面部を共に起立状にしたまま仮令放置されたとしても、両マチ部および各区分け仕切部に予め刻設してある折り目の作用で、自然にそれらを半ば折り畳み状にして各区分け収納部内に収容した小銭が不用意に上方から零れ出してしまうことがないようにすると共に、完全に三つ折り状に折り畳まれてしまうと、両マチ部および各仕切部各片が互いに重なり、小銭を強制的に押圧状にしてしまって妄りに動いて遍在させてしまったり、ジャラ付き音を発てしまうといった不都合をなくことができるようになるため、ポケットやバッグの中に入れて携行する際に、財布の隙間から小銭を零れ出してしまったり、不快な印象を与えることがない秀れた小銭溜付き財布を実現できるという大きな特徴を発揮し得るものになる。
【００３２】
特に、実施例に取り上げたこの発明の小銭溜付き財布を代表する構造のものは、上記した特徴に加え、両マチ部および各区分け仕切部、特に谷折り構造とした各区分け仕切部については製造も容易であって比較的安価なものとしての提供を可能とする構造からなるものであって、しかも、掌サイズの小銭溜付き財布とする上でも都合の良い構造、外観を有するものとなっており、消費税が導入されて以来、頻繁に小銭を必要とする買い物の場面で、必要な小銭の出し入れが容易であって、携行性にも秀れた極めて実用価値の高い財布を実現可能にするという効果が期待できるものとなっている。
【００３３】
叙述の如く、この発明の小銭溜付き財布は、その特徴ある秀れた構成から所期の目的を普く達成可能にするものであり、しかも、従前からのこの種財布に比較しても何等難しい構造を有する訳ではなく、かえって簡潔な構造のものとして実現可能にすることから、秀れた特徴を兼ね備えた財布でありながら、従前もの以上に安価に提供可能となって、必ずといっていい程に小銭を必要とする買い物に際し、小銭を合理的に区分けしたままの携行をし易くした上、レジ等の支払い現場において円滑な支払いができるものとなり、自らの支払い手間に苛立つこともなければ、また他人の支払いのもたつきで順番待ちに時間を費やす等といった不都合も解消できるものとなるため、多くの消費者からは勿論のこと、効率的な顧客管理に繋がる効果の期待できる販売店等からも高い評価が得られ、広く採用、普及していくものになると予想される。
【図面の簡単な説明】
図面は、この発明の小銭溜付き財布を代表する実施例の一つを示したものである。
【図１】この発明の小銭溜付き財布を開いた状態で示す全体斜視図である。
【図２】同上小銭溜付き財布のＡ〜Ａ縦断面図である。
【図３】同分解斜視図である。
【図４】同財布本体の主蓋面部および副蓋面部を夫々外側に広げるように力を加えた状態にして示す全体斜視図である。
【図５】同三つ折り状に折り畳んだ状態を示す全体斜視図である。
【図６】収納部の各区分け収納部に小銭を収容して折り畳んだ図５の状態の財布のＢ〜Ｂ縦断面図である。
【符号の説明】
１          財布本体
１ａ        同  内装部
１ｂ        同  外装部
１ｃ        同  縁縢り材
１１        同  小銭溜底面部
１２        同  主蓋面部
１２ａ      同  折り目
１３        同  副蓋面部
１３ａ      同  折り目
２          マ  チ  部
２１        同  折り目
２２        同  仮着部
２３        同  縫合縁
３          谷折り構造の仕切り部
３１        同  谷
３２        同  片
３３        同  折り目
３４        同  縫合縁
４          収  納  部
４１        同  区分け収納部
５          帯体等の仮着部
Ｃ          小  銭
Ｐ          外  力
【図１】
0003876285.tif 000002
【図２】
0003876285.tif 000003
【図３】
0003876285.tif 000004
【図４】
0003876285.tif 000005
【図５】
0003876285.tif 000006
【図６】
0003876285.tif 000007